(57)【特許請求の範囲】
【請求項１】
裏面の左右方向の端部に切欠を全長にわたって形成したコンクリート系パネルからなる外壁パネルを、前記外壁パネルの切欠に対応した位置に孔又は切欠を有する外壁パネルの受け金具を用いて上下方向及び左右方向に連続させて配置すると共に、前記外壁パネルの切欠が床と接続する接続部位に於いて、前記外壁パネルの切欠と対向させ、且つ前記外壁パネルの裏面に当接させてモルタル阻止部材を設け、前記外壁パネルの切欠が上下に連通するように構成したことを特徴とする壁体内の換気構造。
【発明の詳細な説明】
【０００１】
【発明の属する技術分野】
本発明は、コンクリート系パネルを外壁パネルとして利用した特に中低層住宅に於ける壁体内の換気構造に関するものである。
【０００２】
【従来の技術】
住宅等として、鉄骨の躯体に外壁パネルとなるプレキャストコンクリートパネルや軽量気泡コンクリートパネルを取り付けて構成した建物が提供されている。このような建物では、木造の建物以上に、壁体内，床下，天井の換気を如何にして行うかという点が重要である。
【０００３】
図５は、建物の躯体を構成する鉄骨の梁51にコンクリート系パネルからなる外壁パネル52を取り付けて構成した中低層住宅に於ける換気構造を模式的に示すものである。外壁パネル52は上下方向の寸法が目的の建物に於ける１階層に対応しており、屋外側の面には意匠的な模様が形成されることがあるものの、屋内側の面は平坦な面として形成されている。
【０００４】
各階に対応させた外壁パネル52は、上下方向の両端部位で梁51、及び基礎53に設けた図示しない梁，天井に対応する部位に設けた図示しない梁に結合されている。１階に対応する外壁パネル52の上端部分と２階に対応する外壁パネル52の下端部分が接続される床は、梁51の上面に図示しない床パネルを敷き並べ、この床パネルの上部及び梁51の上部にモルタルを打設して構成されている。
【０００５】
１階の外壁パネル52には上端側に、２階の外壁パネル52には上下両端側に夫々換気口52ａが形成されており、この換気口52ａを利用して各階毎に独立して矢印ａ方向の換気をはかっている。尚、基礎53には予め換気口53ａが形成されており、１階の換気は該換気口53ａを利用して行うようになっている。
【０００６】
【発明が解決しようとする課題】
上記の如く、各階毎に換気をはかるのでは、各階毎の外壁パネルに換気口を形成する必要があり、建物の意匠上好ましくなく、且つ換気口の数の増加に伴って該換気口を形成するためのコストがかさみ、更に、換気口を介して雨水が浸入する虞があるという問題があり、また換気口付近はゴミや雨水によって汚れ易いという問題もある。
【０００７】
本発明の目的は、１階から上階までの換気を連続して行うように構成して換気口の数を減少させて意匠の向上をはかり、且つコストの軽減を実現した壁体内の換気構造を提供せんとするものである。
【０００８】
【課題を解決するための手段】
上記課題を解決するために本発明に係る壁体内の換気構造は、裏面の左右方向の端部に切欠を全長にわたって形成したコンクリート系パネルからなる外壁パネルを、前記外壁パネルの切欠に対応した位置に孔又は切欠を有する外壁パネルの受け金具を用いて上下方向及び左右方向に連続させて配置すると共に、前記外壁パネルの切欠が床と接続する接続部位に於いて、前記外壁パネルの切欠と対向させ、且つ前記外壁パネルの裏面に当接させてモルタル阻止部材を設け、前記外壁パネルの切欠が上下に連通するように構成されるものである。
【０００９】
上記換気構造では、複数の外壁パネルを上下左右に連続して躯体に取り付けたとき、建物の床や天井に対応する部位で外壁パネルの裏面側に形成した切欠が連通するため、モルタルを打設して２階の床を構成した場合であっても、この床の有無に関わらず、１階の外壁パネルから２階の外壁パネルに連通した空間を形成することが出来る。このため、前記空間を換気通路として利用することで、１階から２階への通気をはかることが出来る。
【００１０】
従って、１階の外壁パネル及び２階の外壁パネルに沿って連通した換気通路が形成される。このため、各階毎の外壁パネルに換気口を形成する必要がなく、基礎部の換気口と最上階の換気口があれば換気をはかることが可能となり、外壁パネルに多数の換気口を形成する必要がなく、意匠の向上をはかると共に加工部位を削減してコストの低減をはかることが出来る。
【００１１】
上記換気構造に於いて、切欠が床と接続する接続部位に於いて、前記切欠と対向させてモルタル阻止部材を設けたので、２階の床に打設されたモルタルが外壁パネルに形成された切欠に浸入することがない。このため、下層階から上層階への換気通路を確実に確保して信頼性の高い換気をはかることが出来る。
【００１２】
また上記換気構造に於いて、切欠が外壁パネルの上下方向の全長にわたって形成されることによって、各階の外壁パネルの屋内側の面に断熱材や吸音材を施工した場合であっても、下層階から上層階への換気通路を確保して信頼性の高い換気をはかることが出来る。
【００１３】
【発明の実施の形態】
以下、上記換気構造の好ましい実施形態について図を用いて説明する。図１は換気構造を模式的に説明する斜視図、図２は下層階の上端部と上層階の下端部との接続部位の構成を説明する部分断面図、図３は外壁パネルの裏面側の構成を説明する図、図４は外壁パネルを連続させたときに形成される換気通路を説明する図である。
【００１４】
本発明に係る換気構造を説明するのに先立って、外壁パネルの構成について図３により説明する。図に於いて、外壁パネル１は、コンクリート系のパネルであるプレキャストコンクリート（ＰＣ）パネル或いは軽量気泡コンクリート（ＡＬＣ）パネル等を選択的に用いることが可能である。本実施例では、外壁パネル１としてＡＬＣパネルを用いている。
【００１５】
外壁パネル１は、予め設定された寸法を有してパネル状に形成されており、屋外側の面には必要に応じて意匠模様が形成されている。また外壁パネル１の屋内側の面（裏面）１ａには、左右方向の端部に切欠３が形成されている。
【００１６】
特に、外壁パネル１の左右方向の端部には面取り部が形成されるのが一般的であり、切欠３は前記面取り部よりも大きな寸法を持って形成されるものの、新たな加工工程を付加する必要はなく、面取り部形成工程に於ける加工寸法を変更することで良い。このため、生産性を阻害することがない。
【００１７】
また目的の建物を建築する際に利用する場合、裏面１ａの同一位置に切欠３を形成した同一の外壁パネル１を用いることが好ましく、このように、同一仕様の外壁パネル１を利用することによって、切欠３を上下方向に連通させて換気用の通路を構成することが可能である。
【００１８】
外壁パネル１に形成された切欠３は、該外壁パネル１の裏面１ａに換気用の通路を形成する機能を有するものであり、この機能を発揮し得るものであれば、切欠３の形状や寸法を限定するものではない。特に、切欠３は下層階と上層階とを接続する床に対応する部位で上下に連通し得るように構成される。
【００１９】
外壁パネル１を製造する工程で切欠３を形成する場合、工具を連続的に移動させる過程で形成するのが有利であることから、切欠３を外壁パネル１の上下方向全長にわたって形成することが好ましい。特に、このように切欠３を外壁パネル１の全長にわたって形成することによって、外壁パネル１の裏面１ａに沿って断熱材や吸音材を設置した場合であっても、換気用の通路を確実に確保することが可能である。
【００２０】
建物の最上階（２階又は３階）に配置される外壁パネル１であって、予め設定された部位に配置される外壁パネル１の上端部の近傍には換気口４（図１参照）が形成されており、この換気口４によって外気と屋内側とが連通している。一般住宅等の建物では、前記構成により充分な換気を期待することが可能である。しかし、より多くの換気を必要とする建物の場合、各階層に対応する外壁パネル１の上端部の近傍に換気口４を形成することが好ましい。このように、各階層毎に換気口４を形成した場合であっても、従来の換気口の数と比較して絶対数を低減することが可能である。
【００２１】
次に換気構造について説明する。建物の躯体を構成する梁11の上フランジ11ａには、上層階に配置される外壁パネル１の下端部を支持するピース状の受け金具12が取り付けられており、下フランジ11ｂには下層階に配置される外壁パネル１の上端部を支持するピース状の支持金具（図示せず）が取り付けられている。尚、受け金具12が外壁パネル１に形成した切欠３と対向する位置に配置されるような虞がある場合、受け金具12には予め換気用の孔或いは切欠12ａを形成しておくことが好ましい。
【００２２】
本実施例に於いて、外壁パネル１を梁11に取り付けるための金具類は特別なものである必要はなく、一般的に用いられている金具類であって良い。そして各階層に配置された外壁パネル１は、夫々対応する受け金具12と支持金具とによって梁11に取り付けられている。
【００２３】
梁11には、該梁11に取り付けた外壁パネル１に形成された切欠３にモルタルが浸入することを防止するモルタル阻止部材13が設けられており、このモルタル阻止部材13によって、床を構成する際に打設されるモルタルが切欠３に浸入することを防止している。
【００２４】
即ち、梁11の上フランジ11ａに複数の床パネル14を敷き並べて所定の手段で固定し、これらの床パネル14によって構成された平面にモルタル15を打設して床スラブが形成される。このとき打設されたモルタル15が外壁パネル１の裏面１ａに付着する際に、切欠３に浸入してこれらを閉塞する虞があるが、モルタル阻止部材13を設けることによって、モルタルの流出を阻止することが可能であり、前記虞を解消することが可能である。
【００２５】
モルタル阻止部材13は、打設されたモルタルが外壁パネル１に形成された切欠３に浸入することを防止し得るものであれば良い。従って、モルタル阻止部材13は、例えば梁11の全長にわたって取り付けたプレート状の部材であって良く、また切欠３毎に配置されたピース状の部材であっても良い。
【００２６】
外壁パネル１を梁11の受け金具12に取り付けたとき、該外壁パネル１の裏面１ａに対しモルタル阻止部材13が当接しても良く、外壁パネル１の裏面１ａに形成した切欠３とモルタル阻止部材13によってモルタル15が浸入することのない通路を確保することが可能となる。
【００２７】
上記の如く構成された建物では、基礎16に形成された換気口17から１階の外壁パネル１，梁11，２階の外壁パネル１に形成された換気口４までの間に連続した換気用の通路が形成され、図１の矢印ｂに沿った換気を確保することが可能である。
【００２８】
従って、１階に対応する外壁パネル１の上端部分に形成していた換気口や最上階に対応する外壁パネル１の下端部分に形成していた換気口、更に、中間階に対応する外壁パネル１の上下両端部分に形成していた換気口を形成する必要がなくなり、外壁パネル１に対する加工コストを低減することが可能となる。
【００２９】
【発明の効果】
以上詳細に説明したように本発明に係る換気構造では、外壁パネルの裏面に左右方向の両端に切欠を形成することによって、該外壁パネルを下層階，上層階に取り付けたとき、これらの階を構成する床に関わらず上下方向に連通した通路を構成することが出来る。
【００３０】
このため、従来各階毎に独立していた換気用の通路を下層階から最上階まで連通させることが出来、これに伴って、各階毎に形成していた換気口を排除することが出来る。従って、外壁パネルに多くの換気口がなくなり、意匠の向上をはかることが出来る。また外壁パネルに対する加工を少なくすることが出来るため、コストを低減することが出来る。更に、外壁に於ける開口部分を少なくすることが出来るため、雨水の屋内側への浸入を防止することが出来る。
【００３１】
また外壁パネルと床との接続部位にモルタル阻止部材を設けることによって、上階の床を構成する際に打設されたモルタルが外壁パネルに形成された切欠に浸入することがなく、これらの切欠を介して形成される換気用の通路を確保することが出来る。
【００３２】
また外壁パネルの裏面に形成された切欠が該外壁パネルの上下方向の全長にわたって形成された場合には、外壁パネルの裏面側の面に断熱材や吸音材を施工した場合であっても、上下方向に貫通した換気用の通路を確保することが出来る。
【図面の簡単な説明】
【図１】換気構造を説明する斜視図である。
【図２】下層階の上端部と上層階の下端部との接続部位の構成を説明する部分断面図である。
【図３】外壁パネルの裏面側の構成を説明する図である。
【図４】外壁パネルを連続させたときに形成される換気通路を説明する図である。
【図５】従来の換気構造を説明する図である。
【符号の説明】
１                    外壁パネル
１ａ                  裏面
３                    切欠
４                    換気口
11                    梁
11ａ                  上フランジ
11ｂ                  下フランジ
12                    受け金具
13                    モルタル阻止部材
14                    床パネル
15                    モルタル
16                    基礎
17                    換気口
【図１】
0004017267.tif 000002
【図２】
0004017267.tif 000003
【図３】
0004017267.tif 000004
【図４】
0004017267.tif 000005
【図５】
0004017267.tif 000006